(57)【要約】  原動機の駆動方法であって、ａ）液体と液体よりも高い浸透ポテンシャルを有する溶液との間に選択膜を配置し、膜を横切る液体の流入により溶液を加圧状態にすること、ｂ）溶液において生じた圧力を用いて原動機を駆動すること、ｃ）溶液を回収すること、ｄ）溶液から溶媒の少なくともいくらかを分離して残留生成物を生成すること、ならびに、ｅ）工程ｄ）の分離溶媒および／または残留生成物を工程ａ）にリサイクルすることを含んで成る方法を提供する。
2007533884.tif 000002
【特許請求の範囲】
【請求項１】
原動機の駆動方法であって、
ａ）液体と液体よりも高い浸透ポテンシャルを有する溶液との間に選択膜を配置し、膜を横切る液体の流入により溶液を加圧状態にすること、
ｂ）溶液において生じた圧力を用いて原動機を駆動すること、
ｃ）溶液を回収すること、
ｄ）溶液から溶媒の少なくともいくらかを分離して残留生成物を生成すること、ならびに
ｅ）工程ｄ）の分離溶媒および／または残留生成物を工程ａ）にリサイクルすること
を含んで成る方法。
【請求項２】
原動機は、回転式原動機である、請求項１に記載の方法。
【請求項３】
原動機は、圧力変換システムの一部を形成する、請求項１または２に記載の方法。
【請求項４】
溶液は、水溶液である、請求項１〜３のいずれかに記載の方法。
【請求項５】
溶液は、塩化ナトリウム、塩化カリウム、硝酸カリウム、硫酸マグネシウム、塩化マグネシウム、硫酸ナトリウム、塩化カルシウム、炭酸ナトリウム、リン酸水素２ナトリウムおよびカリウムミョウバンから選択した塩の溶液である、請求項１〜４のいずれかに記載の方法。
【請求項６】
水溶液は、水にアンモニアおよび二酸化炭素を溶解することによって生成する、請求項４に記載の方法。
【請求項７】
アンモニア、二酸化炭素、炭酸アンモニウム、重炭酸アンモニウムおよびカルバミン酸アンモニウムの水溶液である、請求項６に記載の方法。
【請求項８】
溶液は、１〜４００重量％の溶質濃度を有する、請求項１〜７のいずれかに記載の方法。
【請求項９】
液体は、淡水、海水、汽水および産業または農業プロセスからの廃ストリームから成る群から選択する、請求項１〜８のいずれかに記載の方法。
【請求項１０】
液体は、溶液の溶媒と同じ溶媒であるか、またはそれを含んで成る、請求項１〜９のいずれかに記載の方法。
【請求項１１】
工程ｄ）において、熱および／または膜分離法によって溶媒を除去する、請求項１〜１０のいずれかに記載の方法。
【請求項１２】
蒸発、蒸留および結晶化から選択した方法を用いて溶媒を除去する、請求項１１に記載の方法。
【請求項１３】
多段フラッシュ蒸留法、多重効用蒸留法、機械的蒸気圧縮法および高速噴霧脱塩法から選択した、少なくとも１の方法によって溶媒を除去する、請求項１２に記載の方法。
【請求項１４】
イオン交換法、電気透析法、ナノ濾過法および浸透法から選択した少なくとも１の方法によって、溶媒を除去する、請求項１１に記載の方法。
【請求項１５】
工程ｄ）での溶媒除去に必要なエネルギーを、風力、周囲環境の熱エネルギー、太陽エネルギー、地熱エネルギー、生物学的プロセスからのエネルギー、燃料の燃焼によるエネルギーおよび／または発電装置および他の産業プロセスからの余剰熱によって供給する、請求項１〜１４のいずれかに記載の方法。
【請求項１６】
工程ｄ）で回収する溶媒の少なくともいくらかを、工程ａ）の液体にリサイクルする、請求項１〜１５のいずれかに記載の方法。
【請求項１７】
溶液において生じた圧力を用いて溶液を高い位置に移動させること、および高い位置にある溶液のポテンシャルエネルギーを用いて原動機を駆動することを含んで成る、請求項１〜１６のいずれかに記載の方法。
【請求項１８】
原動機の駆動装置であって、
原動機、
液体を、液体よりも高い溶質濃度を有する溶液から分離する選択膜を含んで成り、膜を通過する液体が溶液を加圧するように構成されているハウジング、
溶液において生じた圧力を原動機に伝達する手段、
溶液を回収する手段、
溶液から溶媒を分離して残留生成物を生成する手段、および
残留生成物および／または分離された溶媒をハウジングにリサイクルする手段
を含んで成る装置。
【発明の詳細な説明】
【発明の詳細な説明】
【０００１】
本発明は、原動機の駆動方法に関する。本発明は、例えば、流体動力（または水力）を発生させる、原動機の駆動装置にも関する。
【０００２】
半透膜によって、濃縮水溶液（高い浸透ポテンシャルおよび高エントロピー）から希薄水溶液（低い浸透ポテンシャル、低いエントロピー）を分離するとき、希薄水溶液の水は、半透膜を横切って流れて、濃縮水溶液を希釈する。この現象は、浸透として知られている。
【０００３】
米国特許第３９７８３４４号には、浸透エネルギーを他の形態のエネルギーに変える方法が記載されている。特に、この参照文献では、半透膜を用いて多くの海水から多くの淡水（または真水）を分離する方法が記載されている。淡水と海水との間の浸透ポテンシャルの差は、水が膜を通り抜けて海水に入ることを可能にし、結果として、膜の海水側での静水圧の増加をもたらす。この海水を加圧ストリームとして排出することができ、発電装置に連結しているタービンの回転に用いることができる。
【０００４】
半透膜を介した淡水の移動は、結果として海水の希釈をもたらし、結局は、所定量の海水からのエネルギーの生産を制限する。従って、希釈された海水に、定期的または連続的に新たな海水を補充する必要がある。
【０００５】
本発明は、原動機の駆動方法を提供し、該方法は、
ａ）液体と液体よりも高い浸透ポテンシャルを有する溶液との間に選択膜を配置し、膜を横切る液体の流入により溶液を加圧状態にすること
ｂ）溶液において生じた圧力を用いて原動機を駆動すること
ｃ）溶液を回収すること
ｄ）溶液から溶媒の少なくともいくらかを分離して残留生成物を形成すること、ならびに
ｅ）工程ｄ）の分離溶媒および／または残留生成物を工程ａ）にリサイクルすること
を含んで成る。
【０００６】
一態様において、工程ｄ）の残留生成物を工程ａ）の溶液にリサイクルする。別法または追加として、分離溶媒を、工程ａ）における膜の液体側にリサイクルしてよい。
【０００７】
選択膜を横切って液体が流入することにより、溶液に圧力（例えば、静水圧）を発生させる。工程ａ）からの加圧溶液を直接用いて原動機を駆動してよい。別法では、工程ａ）からの溶液を回収してよく、また、回収溶液の溶媒のいくらかを除去してよい。生じた濃縮溶液は、工程ａ）にリサイクルする前に、原動機の駆動に用いてよい。別法または追加として、溶液から分離した溶媒を用いて原動機を駆動してよい。すべての場合において、工程ａ）の溶液において生じた圧力の少なくともいくらかを用いて、原動機を駆動する。オプションとして、溶液において生じた圧力を用いて、次の処理での溶液をポンピングしてよい。
【０００８】
工程ａ）では、いずれの適当な選択膜を用いてもよい。膜は、１〜６０Å、好ましくは２〜５０Å、より好ましくは５〜４０Å、例えば１０〜３０Åの平均ポアサイズ（または孔径：pore size）を有し得る。一態様において、膜は、１２〜２５Åの平均ポアサイズを有する。
【０００９】
膜の平均ポアサイズは、溶液中の溶質のサイズより好ましくは小さい。好都合にも、このことは、拡散によって膜を横切る溶質の流れを防止または減少し、液体が、浸透（エントロピー）勾配に沿って膜を横切って流れることを可能にする。膜を横切る液体の流量は、膜のポアサイズに左右される。一般に、ポアサイズが大きい程、流量はより多い。
【００１０】
適当な選択膜の例として、内在性膜（integral membrane）および複合膜がある。適当な膜の具体例として、セルロースアセテート（ＣＡ）から形成された膜およびポリアミド（ＰＡ）から形成された膜を含む。好ましくは、膜は、イオン選択性膜である。常套の半透膜を用いてもよい。
【００１１】
膜は、平面であり得、またはチューブもしくは中空ファイバの形であり得る。所望により、膜は、例えばメッシュ支持体等の支持構造体によって支持されていてよい。膜は、波形または曲がりくねった形であってよい。
【００１２】
原動機は、溶液中のエネルギーを機械力（または機械原動力）に変える、いずれの適当な装置でもあってもよい。適当な原動機として、例えばタービン等の回転式原動機がある。このようにして、原動機を用いて動力を発生させることができる。
【００１３】
別法では、原動機は、圧力変換システムであってよく、またはその一部を形成していてもよい。このようにして、原動機を用いて、加圧溶液から他の流体にエネルギーを移動することもできる。適当な圧力変換システムの例が、米国特許第４８８７９４２号、第５３３８１５８号、第５９８８９９３号、および第６５４０４８７号に記載されている。圧力変換システムは、本体部分（その反対端に端エレメントを含む）を有するハウジングを含んで成り得る。ローターを、端プレートに接触させて実質的にシールしながら、本体部分に配置してよい。ローターには、その１端から反対端まで縦に広がり、各端に開口部を有する、少なくとも１つのチャンネルが備わっていてよい。使用に際し、チャンネルは、高圧液体（例えば、工程ａ）からの加圧溶液）と低圧液体との間の交互の水圧の伝達を提供し、液体間で圧力を移動させる。
【００１４】
本発明の方法では、選択膜は、液体と溶液との間に位置する。溶液は、液体よりも高い浸透ポテンシャルを有する。従って、溶液の全溶解固形物（ＴＤＳ）濃度は、典型的には、液体のそれよりも高い。
【００１５】
液体と溶液との間の浸透ポテンシャルの差は、溶媒に、低い浸透ポテンシャルの側（即ち、低い溶質濃度もしくは低いエントロピーまたは高い溶媒濃度）から高い浸透ポテンシャルの側（即ち、高い溶質濃度もしくは高いエントロピーまたは低い溶媒濃度）へと選択膜を通過させる。この液体の流入は、溶液の圧力の増加をもたらす。例えば、溶液の圧力は、液体の流入に起因して、１０５〜１０７Ｐａから１．１ｘ１０５〜５．０ｘ１０７Ｐａの圧力まで増大し得る。好ましい態様では、溶液の圧力は、液体の流入に起因して、１０５〜１０７Ｐａから１．５ｘ１０５〜２．５ｘ１０７Ｐａの圧力まで増大し得る。
【００１６】
本発明の方法の工程ａ）をハウジングで実施することができる。ハウジングは、好ましくは、選択膜の１つの側に液体を導入する入口、および該膜の反対側から加圧溶液を除去する出口が備わっている。好ましい態様では、液体の溶液への流入は十分であり、１．１ｘ１０５〜５．０ｘ１０７Ｐａ、好ましくは１．５ｘ１０５〜２．５ｘ１０７Ｐａの圧力でハウジングから溶液を排出する。ハウジングの出口は、適当な圧力での溶液の排出を保証する大きさにすることができる。追加または別法として、ノズル（圧力調整器）を出口に連結して、これにより溶液の圧力を調整してよい。
【００１７】
加圧溶液を、例えば、加圧ストリームとしてハウジングから除去してよい。溶液において生じる圧力を用いて原動機を駆動することができる。溶液を原動機に直接導入して、原動機を駆動し、例えば、動力を発生させることができる。別法では、溶液において生じる圧力を、圧力変換システムを介して他の液体に移してよい。工程ａ）からの加圧溶液を工程ｂ）に直接用いて原動機を駆動することができる。別法では、工程ｂ）の前に、本方法の工程ｃ）および工程ｄ）を実施することができる。
【００１８】
溶液において生じる圧力は、溶液を、ハウジングから、例えば１０〜２５００ｍ、好ましくは５０〜１５００ｍの高所まで排出（または噴出）するのに十分であり得る。従って、高所から溶液を原動機に導入することができる。このようにして、溶液のポテンシャルエネルギーの少なくとも一部分を機械エネルギーに変換する。続いて、原動機の機械エネルギーを、例えば、電気および／または熱等の他の形態のエネルギーに変換することができる。ある態様では、原動機に溶液を導入する前に、溶液を高い位置で保存することが望ましい。
【００１９】
工程ｃ）において、溶液を回収する。次いで、回収溶液から溶媒を除去する（工程ｄ））。この溶媒除去工程を、いずれの適当な溶媒除去／分離方法によって実施してもよい。熱および／または膜分離工程を用いてもよい。１もしくはそれより多くの熱分離工程および／または１もしくはそれより多くの膜分離工程の組み合わせを用いてもよい。
【００２０】
適当な熱分離技術の例として、蒸発、蒸留および結晶化がある。例えば、周囲条件下、空気中で溶媒を蒸発させることにより、蒸発を自然に実施することができる。別法では、蒸発を冷却塔で実施してもよい。適当な蒸留法として、多段フラッシュ蒸留法（ＭＳＦ：multi-stage flash distillation）、多重効用蒸留法（ＭＥＤ：multi-effect distillation）、機械的蒸気圧縮法（ＭＶＣ：mechanical vapour compression）、高速噴霧脱塩法（rapid spray desalination）がある。
【００２１】
多段フラッシュ蒸留法では、溶液を直列（または一連）のチューブに導入し、高い温度まで加熱する。次いで、加熱溶液を蒸留チャンバーに導入し、その蒸気圧よりも低い圧力に付す。圧力の突然の減少により、沸騰またはフラッシュ（蒸発：flash）を引き起こす。入ってくる溶液ストリームをチューブにおいて濃縮することにより、塩を含む残渣からフラッシュ蒸気を分離する。典型的には直列の蒸発チャンバーを用いる。このようにして、蒸発またはフラッシュ工程が多段階で起こる。
【００２２】
多重効用蒸留は、直列の効用缶（effects）で行われ、各種効用缶において、周囲圧力を下げる原理を利用する。このことは、第１効用の後に供給されるべき追加の熱を必要とすることなく、一連の段階において溶液の沸騰を可能にする。
【００２３】
多重効用蒸留法では、溶液を予熱して、蒸発器チューブの表面に液体の薄膜としてスプレー（または噴霧）する。チューブは、チューブを通る水蒸気によって加熱する。チューブの加熱表面に接触させながら、スプレー液体を蒸発させる。この蒸気を用いて次の効用缶の蒸発器チューブを加熱し、熱の移動によってチューブにおける蒸気を凝縮させる。このようにして溶液を蒸発および凝縮することによって、溶液から溶媒を回収することができる。
【００２４】
少なくとも１つの効用缶の蒸気を圧縮することにより、多重効用蒸留工程の効率を上げることができる。多重効用蒸留と圧縮との組み合わせは、ＭＥＤ−熱圧縮として知られている。
【００２５】
機械的蒸気圧縮法（ＭＶＤ）を用いて、溶液から溶媒を除去することもできる。機械的蒸気圧縮法では、典型的には容器から蒸気を抽出して、次いで容器内に設置されているチューブで圧縮することによって凝縮する。圧縮および凝縮工程は熱を発生させ、チューブ壁を加熱する。溶液は、チューブ表面にスプレーされるときに、更なる蒸気を発生して蒸発する。抽出、圧縮および凝縮工程を繰り返すことにより、溶液から更なる溶媒を回収することができる。
【００２６】
高速噴霧脱塩法（ＲＳＤ）を用いて、溶液から溶媒を除去することもできる。典型的な高速噴霧脱塩法では、エアーが加熱要素を通って蒸発チャンバーに吹き込まれる。加熱エアーが蒸発チャンバーに沿って移動するとき、例えば海水の霧状溶液を、蒸発チャンバーに注入する。動いている蒸気および海水滴は、海水滴を捕捉して純粋な気相を凝縮器に通すメカニカルフィルターを通る。海水滴は、フィルターから定期的に洗い流すことができる。
【００２７】
上述のように、結晶化法を用いて、溶液から溶媒を分離することもできる。結晶化作用により、溶液中の溶媒または溶質を結晶化することができる。
【００２８】
例えば、溶媒の凝固点まで溶液を冷却することにより、結晶化を行うことができる。これにより、溶液中の溶媒の少なくともいくらかを結晶化させる。次いで、この結晶化された溶媒を除去することができる。結晶化には冷涼な環境が好ましく、低い周囲温度を用いて溶液温度を下げて、結晶化をもたらすことができる。
【００２９】
別法では、熱分離塔を用いて結晶化を行うことができる。例えば、溶解している溶質の少なくともいくらかが溶液から沈殿するように、溶液を熱分離カラムで冷却する。これらの沈殿物は、溶質濃度が減少した溶液をカラムの上部に残しながら、カラムの底部に集めて回収することができる。好適には、温度変化に敏感な溶解度を有する塩を用いて溶液を生成してもよい。好ましくは、そのような塩は、低温で溶液から容易に沈殿する。そのような塩の例として、リン酸水素２ナトリウム（Ｎａ２ＨＰＯ４・１２Ｈ２Ｏ）等のリン酸水素がある。
【００３０】
一態様において、工程ａ）からの溶液を高所（例えば山頂）に移すことができ、高所の周囲温度は、ｉ）溶液において溶質種を結晶化するのに十分低いか、またはｉｉ）溶媒を結晶化する溶液の凝固点よりも下であるか、いずれかである。このことは、溶液を２つの部に分離させる。１の部は、低い溶質濃度を有するが、他の部は、より高い溶質濃度を有する。溶液のポテンシャルエネルギーを用いて原動機を駆動することができるように、これらの各溶液を基底準位（ground level）に戻してよい。これらの溶液は、工程ａ）にリサイクルすることができる。
【００３１】
溶液から溶媒を分離するのに適する膜法として、イオン交換法、電気透析法、逆電気透析法（electro-dialysis reversal）、ナノ濾過法および逆浸透法がある。膜を用いるとき、これらは、システムにおいて生じる高圧に耐え得る必要がある。
【００３２】
溶媒除去工程を動かすのに必要な熱エネルギーを、多くのソースから供給することができる。例えば、熱エネルギーを、外界（例えば、周囲温度における蒸発）、地熱ソースおよび／または太陽エネルギーによって供給することができる。高温の環境では、周囲温度での蒸発が有利であり得る。溶媒の蒸発を効果的に行うために、エアー、例えば、乾燥した温風（ウォームエアー）を溶液に通すことによって、溶媒除去をもたらすこともできる。別法または追加として、産業プロセス（例えば、発電装置、精製装置、化学プラント）からの余剰熱を用いて、溶媒除去工程を運転することができる。換言すれば、本発明の溶媒除去工程を用いて、産業プロセスから余剰熱を除去することができる。
【００３３】
更なる態様では、例えば、オイル、木材、ピート（peat）、ブッシュ（bushes）、草、わら、天然ガスおよび石炭等の燃料の消費によって、溶媒除去工程の運転に必要な熱エネルギーを供給することができる。廃棄物を焼却処分して、溶媒除去工程に必要な熱エネルギーを供給することもできる。
【００３４】
他の更なる態様では、例えば、熱発生（または産熱）および発酵等の生物学的プロセスによって、溶媒除去工程の運転に必要な熱エネルギーを供給することができる。
【００３５】
他の態様では、ガス（例えばエアー）の圧縮および減圧によって、溶媒除去工程の運転に必要な熱エネルギーを供給することができる。ガスが所定の温度で等方的に膨張するとき、新たな圧力での最終的な温度は、その温度よりもかなり低い。生じた冷ガスを、開放系に直接的に、または閉鎖系に熱交換によって間接的に、冷媒として用いることができる。逆に言えば、ガスの圧縮は、ガスの温度の増大をもたらす。圧縮熱を用いて、溶液を加熱および／または溶媒を蒸発することができる。
【００３６】
更なる他の態様では、溶媒除去工程の運転に必要な熱エネルギーを、風力によって供給することができる。風力をエアーの圧縮に用いることができ、また、圧縮熱を用いて、溶液を加熱および／または溶媒を蒸発することができる。次いで、エアーを減圧し、減圧による冷却効果を用いて、溶液を冷却および／または蒸気を凝縮することができる。冷却剤としてのエアーの使用は、ガスが所定の温度で等方的に膨張するとき、新たな圧力での最終的な温度は、その温度よりもかなり低いという原理に基づいている。次いで、生じた冷ガス（この場合ではエアー）を、開放系に直接的に、または閉鎖系に熱交換によって間接的に、冷媒として用いることができる。
【００３７】
上述の熱エネルギーのソースは、蒸発／蒸留による溶媒除去に特に有用であり得る。
【００３８】
ひとたび溶液から溶媒が除去されると、残留生成物が生じる。この残留生成物は、工程ａ）での使用に適する溶液に好ましくはリサイクルする。例えば、方法の工程ｄ）で生じた残留生成物を、該方法の工程ａ）にリサイクルすることができる。別法では、１以上の本発明の方法を（例えば同時に）実施するとき、１の方法の残留生成物を、他の方法の工程ａ）にリサイクルすることができる。
【００３９】
本発明の方法を連続的に実施することができ、工程ａ）の溶液を新たな溶液で置換または補充する必要性を減少または排除する。これは、場合によって望ましいことであり、溶液に新たな溶質を追加する必要もない。
【００４０】
残留生成物は、固体生成物または濃縮溶液の形態であり得る。残留生成物が固体生成物であるとき、固体生成物を工程ａ）の溶液に添加して、工程ａ）の溶液の溶質濃度を増大させることができる。このことは、膜の２つの側の間の溶質濃度差を維持すること、および膜を横切る液体の流れが十分量で生じることを保証するのを助けることができる。
【００４１】
残留生成物が固体生成物であるとき、固体生成物を溶媒で希釈して（dilute）濃縮溶液を生成することができる。この濃縮溶液は、工程ａ）の溶液に導入することができる。従って、この溶液の濃度を調整することにより、工程ａ）の溶液の溶質濃度を所望のレベルに維持することができる。このことは、膜の２つの側の間の溶質濃度差を維持すること、および膜を横切る液体の流れが十分量で生ずることを保証するのを助けることができる。
【００４２】
残留生成物が濃縮溶液であるとき、工程ａ）の選択膜の溶液側に濃縮溶液を導入することができる。ある態様では、例えば、更なる溶媒または溶質を溶液に添加することによって使用する前に、濃縮溶液の濃度を変更する必要もあり得る。従って、この溶液の濃度を調整することにより、工程ａ）の溶液の溶質濃度を所望のレベルに維持することができる。このことは、膜の２つの側の間の溶質濃度差を維持すること、および膜を横切る液体の流れが十分量で生ずることを保証するのを助けることができる。
【００４３】
溶媒除去工程で除去された溶媒を、回収して、例えば工程ａ）での使用に適する液体にリサイクルすることができる。方法の工程ｄ）で除去された溶媒を方法の工程ａ）にリサイクルすることができ、また、別法では、本発明の複数の方法を（例えば連続的に）実施するとき、１つの特定の方法の工程ｄ）で除去された溶媒を他の方法の工程ａ）にリサイクルすることができる。
【００４４】
別法または追加として、除去された溶媒を、廃棄するか、または他の目的に用いてもよい。一態様では、液体は海水であり、溶液は水溶液である。従って、工程ｄ）の溶液から除去された溶媒は水である。この水を、農業用途、産業用途、および家庭用途（例えば、飲料水等）等の、多くの用途に用いることができる。このように、本発明のこの態様では、本発明の方法を海水の脱塩に用いることができる。
【００４５】
工程ａ）の液体を、例えば、周期的または連続的に、新たな液体で補充または置換することができる。
【００４６】
本発明の方法の工程ａ）で用いる液体は、好ましくは水または水溶液である。例えば、液体は、海水、（例えば、川、湖および地下のソースからの）淡水および汽水であり得る。例えば、洗濯の廃水（例えば、ランドリー）等の中水道水ストリーム、および雨水からのストリームを用いてもよい。従って、液体は、これらのソースからの水において典型的に見られる不純物を含み得る。例えば、液体は、金属またはアンモニウム塩等の溶解塩を含み得る。含み得る塩の例として、フッ化物、塩化物、臭化物、ヨウ化物、硫酸塩、亜硫酸塩、硫化物、炭酸塩、炭酸水素塩、硝酸塩、亜硝酸塩、窒化物、リン酸塩、アルミン酸塩、硼酸塩、臭素酸塩、炭化物、塩化物、過塩素酸塩、次亜塩素酸塩、クロム酸塩、フルオロ珪酸塩、フルオロ硫酸塩、珪酸塩、シアン化物およびシアン酸塩がある。好ましくは、アルカリおよび／またはアルカリ土類金属の塩を用いる。そのような金属の例として、リチウム、ナトリウム、カリウム、マグネシウム、カルシウムおよびストロンチウムがあるが、これらに限定されない。一態様では、液体は海水であり、従って、少なくとも３％の濃度で塩化ナトリウムを含む。
【００４７】
別の態様では、液体は、産業または農業プロセスからの流出物であり得る。
【００４８】
液体の溶質濃度（即ち、ＴＤＳ）は、０〜４０重量％、好ましくは０．０〜６重量％であり得る。
【００４９】
浸透の間に、溶液に溶解する溶質および懸濁する不純物の少なくともいくらかが、膜を横切って流れるのを防ぐ。好ましくは、全ての溶解溶質／不純物が膜の液側に残り、膜を横切って液体を流して、膜のもう１つの側の溶液を希釈する。このように、液体が、溶媒に溶解する溶質の溶液であるとき、溶質が膜を横切って流れるのを好ましくは防ぎ、膜を横切って液体を流して、膜のもう１つの側の溶液を希釈する。特に、液体が水溶液であるとき、溶液に溶解する溶質および懸濁する不純物が、膜を横切って流れるのを好適に防ぎ、膜を横切って水を流して、もう１つの側の溶液を希釈する。
【００５０】
溶液は、有機および／または無機溶媒から成っていてよい。適当な有機溶媒は、脂肪族または芳香族炭化水素等の炭化水素を含む。有機溶媒の混合物を用いてもよい。炭化水素は、直鎖、枝分かれおよび／または環状であってよい。例として、アルカン、アルケンおよびアルキンがあるが、これらに限定されない。炭化水素は、例えば、フッ素、塩素、臭素、ヨウ素、酸素、硫黄、窒素および／またはリン原子等のヘテロ原子で置換されていてよい。一態様において、例えば、アルデヒド、ケトン、カルボン酸、エーテル、エステル、アルコールおよび／またはこれらの誘導体等の酸化された炭化水素を用いてもよい。例えば、グリコールエステルおよびグリコールエーテルを用いることもできる。別法または追加として、例えば、塩化、臭素化および／またはフッ素化炭化水素等のハロゲン化溶媒を用いることもできる。
【００５１】
適当な無機溶媒として、酸性溶媒、アルカリ性溶媒および／または水がある。溶液の溶媒として好ましくは水を用いる。
【００５２】
溶液は、好ましくは水溶液である。
【００５３】
溶液の適当な溶質として、有機化合物、生体化合物および／または無機化合物がある。
【００５４】
適当な有機化合物として、例えば、脂肪族および芳香族炭化水素等の炭化水素がある。２またはそれより多くの有機化合物の混合物を用いることもできる。炭化水素は、直鎖、枝分かれおよび／または環状であってよい。適当な炭化水素の例として、アルカン、アルケンおよびアルキンがあるが、これらに限定されない。炭化水素は、例えば、フッ素、塩素、臭素、ヨウ素、酸素、硫黄、窒素および／またはリン原子等のヘテロ原子で置換されていてよい。一態様において、例えば、アルデヒド、ケトン、カルボン酸、エーテル、エステル、アルコールおよび／またはこれらの誘導体等の酸化された炭化水素を用いてもよい。有機溶質種は、１００〜１００００ｇｍｏｌ―１、好ましくは３００〜５０００ｇｍｏｌ―１、より好ましくは４００〜２０００ｇｍｏｌ―１、更により好ましくは５００〜１０００ｇｍｏｌ―１の分子量を有し得る。
【００５５】
適当な生体化合物の例として、プロテイン、アミノ酸、核酸、炭水化物および脂質がある。２またはそれより多くの生体化合物の混合物を用いてもよい。好ましい生体溶質として、例えば、ショ糖および／またはビート糖等の糖がある。グルコース、フルクトースおよびスクロースを用いてもよい。生体溶質種は、１００〜１００００ｇｍｏｌ―１、好ましくは３００〜５０００ｇｍｏｌ―１、より好ましくは４００〜２０００ｇｍｏｌ―１、更により好ましくは５００〜１０００ｇｍｏｌ―１の分子量を有し得る。
【００５６】
好ましくは、溶液は、例えば、無機塩等の、１またはそれより多くの無機化合物の溶液である。適当な塩の例として、金属またはアンモニウム塩がある。２またはそれより多くの塩の混合物を用いてもよい。例として、フッ化物、塩化物、臭化物、ヨウ化物、硫酸塩、亜硫酸塩、硫化物、炭酸塩、炭酸水素塩、硝酸塩、亜硝酸塩、窒化物、リン酸塩、アルミン酸塩、硼酸塩、臭素酸塩、炭化物、塩化物、過塩素酸塩、次亜塩素酸塩、クロム酸塩、フルオロ珪酸塩、フルオロ硫酸塩、珪酸塩、シアン化物およびシアン酸塩がある。好ましくは、アルカリおよび／またはアルカリ土類金属の塩を用いる。そのような金属の例として、リチウム、ナトリウム、カリウム、マグネシウム、カルシウムおよびストロンチウムがあるが、これらに限定されない。
【００５７】
好ましくは、溶液は、塩化ナトリウム、塩化カリウム、硝酸カリウム、硫酸マグネシウム（例えば、ＭｇＳＯ４・６Ｈ２ＯまたはＭｇＳＯ４・７Ｈ２Ｏ）、塩化マグネシウム（例えば、ＭｇＣｌ２・６Ｈ２Ｏ）、硫酸ナトリウム（例えば、Ｎａ２ＳＯ４・１０Ｈ２Ｏ）、塩化カルシウム（例えば、ＣａＣｌ２・２Ｈ２ＯまたはＣａＣｌ２・６Ｈ２Ｏ）、炭酸ナトリウム、リン酸水素２ナトリウム（Ｎａ２ＨＰＯ４・１２Ｈ２Ｏ）およびカリウムミョウバン（２４Ｈ２Ｏ）から選択した少なくとも１つの塩の溶液である。好ましい態様において、溶液は、塩化ナトリウム水溶液である。
【００５８】
好ましくは、既知の量の溶媒に既知の量の溶質を加えることによって溶液を生成する。好ましくは、溶液は、本質的には、選択した溶媒に溶解している選択した溶質を含む。例えば、一態様において、本発明の方法は、選択溶媒に選択溶質を溶解する工程を更に含んで成る。一態様において、溶液は、アンモニアおよび二酸化炭素を水で混合することにより生成する。生じた溶液は、国際公開公報０２／０６０８２５に記載のように、アンモニア、二酸化炭素、炭酸アンモニウム、重炭酸アンモニウム、およびカルバミン酸アンモニウムの濃縮溶液を含み得る。
【００５９】
別法では、溶液は、産業プロセスからの廃ストリーム等の既存のストリームから取り出すことができる。例えば、溶液は、冷却塔のブローダウン排出物、海水、脱塩排出物、またはオイル抽出プロセスからの排出物であってよい。
【００６０】
一態様において、溶液は、１〜４００重量％、好ましくは２〜１００重量％、より好ましくは５〜８０重量％、例えば、１０〜５０重量％の溶質（例えば塩）濃度を有する。溶質は、上述の１またはそれより多くの溶質であり得る。例えば、溶質は、塩化ナトリウム、塩化カリウム、硝酸カリウム、硫酸マグネシウム（例えば、ＭｇＳＯ４・６Ｈ２ＯまたはＭｇＳＯ４・７Ｈ２Ｏ）、塩化マグネシウム（例えば、ＭｇＣｌ２・６Ｈ２Ｏ）、硫酸ナトリウム（Ｎａ２ＳＯ４・１０Ｈ２Ｏ）、塩化カルシウム（例えば、ＣａＣｌ２・２Ｈ２ＯまたはＣａＣｌ２・６Ｈ２Ｏ）、炭酸ナトリウム、リン酸水素２ナトリウム（Ｎａ２ＨＰＯ４・１２Ｈ２Ｏ）およびカリウムミョウバン（２４Ｈ２Ｏ）から選択した塩であってよい。別法では、溶質は糖であってよい。
【００６１】
一態様では、溶液は、２〜３９重量％、好ましくは５〜３５重量％、より好ましくは１０〜３０重量％の塩化ナトリウム濃度を有する塩化ナトリウム溶液である。他の態様では、溶液は、５〜５０重量％、好ましくは１０〜４５重量％、より好ましくは１５〜３５重量％の塩化カリウム濃度を有する塩化カリウム溶液である。他の態様では、溶液は、５〜８０重量％、好ましくは１０〜６０重量％、より好ましくは１５〜４５重量％の硝酸カリウム濃度を有する硝酸カリウム溶液である。更なる他の態様では、溶液は、５〜１２０重量％、好ましくは１０〜１００重量％、より好ましくは１５〜８０重量％の塩化カルシウム濃度を有する塩化カルシウム溶液である。別の態様では、溶液は、５〜４５重量％、好ましくは１０〜３５重量％、より好ましくは１５〜３０重量％の炭酸ナトリウム濃度を有する炭酸ナトリウム溶液である。更なる態様では、溶液は、５〜３９重量％、好ましくは１０〜３５重量％、より好ましくは１５〜３０重量％のリン酸水素２ナトリウム濃度を有するリン酸水素２ナトリウム溶液である。他の態様では、溶液は、５〜４５重量％、好ましくは１０〜４０重量％、より好ましくは１５〜３９重量％の硫酸ナトリウム濃度を有する硫酸ナトリウム溶液である。更なる他の態様では、溶液は、５〜１００重量％、好ましくは１０〜８０重量％、より好ましくは１５〜７５重量％の硫酸マグネシウム濃度を有する硫酸マグネシウム溶液である。
【００６２】
液体と溶液とのＴＤＳの差は、少なくとも１重量％、例えば、１〜３９重量％、好ましくは５〜３５重量％である。
【００６３】
本発明の方法において、いずれの適当な選択膜を用いてもよい。膜のアレイを用いてもよい。適当な膜の例として、セルロースアセテート（ＣＡ）およびポリアミド（ＰＡ）膜がある。膜は平面であり得るか、または、チューブもしくは中空ファイバの形であり得る。薄膜を用いてもよい。所望により、例えばメッシュ支持体等の支持構造体で膜を支持してもよい。
【００６４】
一態様において、１またはそれより多くの管膜をハウジング内に配置してよい。液体をハウシングに導入してよく、一方で、溶液を管膜に導入してよい。液体の溶媒濃度が溶液の溶媒濃度よりも高いとき、液体は膜を横切って溶液中に拡散する。このようにして、溶液は、次第に液体によって希釈される。希釈溶液は、管膜の内側から回収することができ、一方で、液体は、ハウジングから除去することができる。
【００６５】
平面膜を用いるとき、シートは、断面において螺旋形を画定するように巻かれていてよい。
【００６６】
膜のポアサイズは、分離を要する溶媒分子のサイズによって選択してよい。膜は、１〜６０Å、好ましくは２〜５０Å、より好ましくは５〜４０Å、例えば１０〜３０Åの平均ポアサイズを有する。一態様において、膜は、１２〜２５Åの平均ポアサイズを有する。
【００６７】
２またはそれより多くの異なるタイプの溶媒分子に膜を通させるポアサイズを有する膜を用いてもよい。常套の半透膜を用いてもよい。典型的には、そのような半透膜は、例えば、１〜５Åの平均ポアサイズを有する。
【００６８】
選択膜を横切る溶媒のフローは、一般に、熱的条件に影響を受ける。従って、膜の各々の側の液体および溶液を、所望により加熱または冷却する。好ましくは、溶液を、３０〜９０℃、好ましくは５０〜７０℃に加熱してよい。液体を、例えば、−２０〜２０℃、例えば７〜１２℃に冷却してよい。所望により、膜のいずれかの側で化学反応を実施してもよい。一態様では、溶液および／または液体を撹拌してよい。他の態様では、溶液および／または液体を、例えば、電気、マイクロ波および／またはレーザ電場等の外部場に付し、２つの溶液の間の浸透ポテンシャル差を高くすることができる。
【００６９】
本発明の方法は、液体（例えば、廃ストリーム、海水、河川水、湖沼水または汽水）から、例えば、懸濁粒子および生体物質等の不純物（または汚染物質：contaminant）を除去する前処理工程を更に含んで成ってよい。追加または別法として、スケーリングを制御する開始抑制剤（threshold inhibitor）を液体に添加してよい。液体のｐＨを変更する前処理工程を用いてもよい。
【００７０】
必要に応じて、溶液を処理して、例えば、懸濁粒子および生体物質等の不純物を除去してもよい。追加または別法として、スケーリングを制御する開始抑制剤を液体に添加してよい。液体のｐＨを変更する前処理工程を用いてもよい。
【００７１】
必要に応じて、方法の工程ａ）を一回以上繰り返してよい。このように、工程ａ）からの加圧溶液を更なる選択膜の１つの側に入れてよく、また、更なる溶液を膜の他の側に入れてよい。更なる溶液は、膜の他の側にある溶液よりも高い浸透ポテンシャルを有し、膜を横切る液体の流入によって加圧状態にする。更なる溶液の圧力を用いて原動機を駆動させてもよい。
【００７２】
本発明の更なる要旨により、原動機の駆動装置を提供し、該装置は
原動機、
液体よりも高い溶質濃度を有する溶液から液体を分離する選択膜を含んで成り、膜を通過する液体が溶液を加圧するように構成されているハウジング、
溶液において生じた圧力を原動機に伝達する手段、
溶液を回収する手段、
溶液から溶媒を分離して残留生成物を生成させる手段、および
残留生成物および／または分離された溶媒をハウジングにリサイクルする手段
を含んで成る。
【００７３】
残留生成物を装置のハウジング内の溶液にリサイクルしてよい。別法では、本発明の他の装置のハウジング内の溶液にリサイクルしてよい。
【００７４】
原動機は、溶液のエネルギーを機械力に変換するのに適当ないずれの適当な装置であってもよい。適当な原動機の例として、例えばタービン等の回転式原動機がある。このようにして、原動機を用いて発電することができる。
【００７５】
別法では、原動機は、圧力交換システムであり得、またはその一部を形成していてよい。このように、原動機は、加圧溶液からのエネルギーを他の流体に移すこともできる。適当な圧力交換システムの例は、米国特許第４８８７９４２号、米国特許第５３３８１５８号、米国特許第５９８８９９３号および米国特許第６５４０４８７号に記載されている。
【００７６】
本発明のこれらおよび他の要旨は、添付の図面を参照にして本明細書に記載する。
【００７７】
まず、図１に関して記載する。該図は、本発明の第１態様の方法を示す。浸透セル（または槽）１２、原動機１４（例えば、発電装置に連結しているタービン）および分離器１６を含んで成る装置１０を用いて、該方法を実施する。浸透セルは、半透膜１８を含んで成る。
【００７８】
使用に際し、水１１（例えば海水）を膜１８の１つの側に導入する。３０重量％の塩化ナトリウム溶液１３を膜１８の反対側に導入する。塩化ナトリウム溶液が、海水の全溶解固形物（ＴＤＳ）濃度よりも高い塩化ナトリウム濃度を有するときに、浸透によって水が膜１８を横切って流れる。膜１８を横切る水の流入は、塩化ナトリウム溶液の圧力を増大させる。
【００７９】
加圧された塩化ナトリウム溶液を浸透セル１２から除去して原動機１４に導入する。溶液は浸透工程によって加圧されているため、塩化ナトリウム溶液のポンピングは必要ない。加圧された塩化ナトリウム溶液を用いて原動機１４を駆動する。生じた機械エネルギーを、例えば、電気エネルギー等の他の形態のエネルギーに変換することができる。
【００８０】
次いで、塩化ナトリウム溶液を原動機１４から除去して分離器１６に導入してよい。分離器１６において、蒸発によって水を塩化ナトリウム溶液から除去する。塩化ナトリウム溶液から水を一旦除去すると、塩化ナトリウム溶液を再利用のために浸透セルにリサイクルする。従って、浸透工程において、塩化ナトリウム溶液を補充または置換するための新たな塩化ナトリウム溶液を必要としない。
【００８１】
蒸発工程で除去された水を回収して、例えば飲料水等に用いてよい。このように、本発明のこの態様を用いて海水を脱塩することができる。
【００８２】
装置１０を、常套の発電装置２２に近接して設置する。発電装置２２は、ボイラー２４、原動機２６（スチームタービン）、およびサーマルユニット２８（発電装置のコンデンサ）を含んで成る。
【００８３】
使用に際し、ポンプ３０を介してボイラー２４に水を導入する。燃料３２の燃焼によりボイラー２４で水を加熱して、過熱水蒸気を生成する。次いで、過熱水蒸気を高圧で原動機（スチームタービン）２６に導入し、過熱水蒸気を用いて原動機２６を駆動して機械エネルギーを発生させる。回転している原動機２６の機械エネルギーを、例えば、電気エネルギー等の他の形態のエネルギーに変換することができる。
【００８４】
次いで、飽和または過熱水蒸気を、原動機２６から回収して、サーマルユニット２８に導入する。サーマルユニットにおいて、水蒸気を水に凝縮する。水蒸気からの余剰熱を用いて、装置１０の塩化ナトリウム溶液から水を蒸発させる。このように、装置１０の原動機１４からの塩化ナトリウム溶液を、発電装置２２のサーマルユニット２８において冷却剤として用いる。従って、装置１０の分離器１６は、発電装置２２のサーマルユニット２８と実質的に同一である。
【００８５】
冷却したら、発電装置の凝縮水蒸気を、ポンプ３０を介してボイラー２４にリサイクルする。
【００８６】
分離器１６によって塩化ナトリウム溶液から除去した水蒸気または水を、純水生成物として用いることができ、またはユニット１０にリサイクルすることができる。
【００８７】
次に、図２に関して記載する。該図は、本発明の第２態様の方法を示す。装置１００を用いて該方法を実施する。装置１００は、図１の装置１０に類似しており、装置の同じコンポーネントには、同じ数字を付している。しかしながら、装置１００は、冷涼な環境での使用に適合している。従って、図１の装置１０と異なり、装置１００は、晶析装置である分離器１１６を含んで成る。使用に際し、原動機１４からの新たな溶液を分離器１１６に導入し、周囲温度によって冷却して、氷、および濃縮された塩化ナトリウム溶液を生成する。前者は除去して廃棄するが、後者は浸透セル１２にリサイクルする。
【００８８】
次に、図３に関して記載する。該図は、本発明の第３態様の方法を示す。装置２００を用いて該方法を実施する。装置２００は、図１の装置１０に類似しており、装置の同じコンポーネントには、同じ数字を付している。しかしながら、装置２００は、暖かく乾燥した環境での使用に適合している。従って、図１の装置１０と異なり、装置１００は、自然の、または効果的な蒸発および／もしくは太陽エネルギーに依る分離器２１６を含んで成り、原動機１４から生じた新たな溶液から溶媒を除去する。
【図面の簡単な説明】
【００８９】
【図１】図１は、本発明の第１態様の方法の概略フロー図である。
【図２】図２は、本発明の第２態様の方法の概略フロー図である。
【図３】図３は、本発明の第３態様の方法の概略フロー図である。
【図１】
2007533884.tif 000003
【図２】
2007533884.tif 000004
【図３】
2007533884.tif 000005
【手続補正書】
【提出日】平成16年12月13日(2004.12.13)
【手続補正１】
【補正対象書類名】特許請求の範囲
【補正対象項目名】全文
【補正方法】変更
【補正の内容】
【特許請求の範囲】
【請求項１】
原動機の駆動方法であって、
ａ）液体と液体よりも高い浸透ポテンシャルを有する溶液との間に、少なくとも１０Åの平均ポアサイズを有する選択膜を配置し、膜を横切る液体の流入により溶液を加圧状態にすること、
ｂ）溶液において生じた圧力を用いて原動機を駆動すること、
ｃ）溶液を回収すること、
ｄ）溶液から溶媒の少なくともいくらかを分離して残留生成物を生成すること、ならびに
ｅ）工程ｄ）の分離溶媒および／または残留生成物を工程ａ）にリサイクルすること
を含んで成る方法。
【請求項２】
原動機は、回転式原動機である、請求項１に記載の方法。
【請求項３】
原動機は、圧力変換システムの一部を形成する、請求項１または２に記載の方法。
【請求項４】
溶液は、水溶液である、請求項１〜３のいずれかに記載の方法。
【請求項５】
溶液は、塩化ナトリウム、塩化カリウム、硝酸カリウム、硫酸マグネシウム、塩化マグネシウム、硫酸ナトリウム、塩化カルシウム、炭酸ナトリウム、リン酸水素２ナトリウムおよびカリウムミョウバンから選択した塩の水溶液である、請求項１〜４のいずれかに記載の方法。
【請求項６】
水溶液は、水にアンモニアおよび二酸化炭素を溶解することによって生成する、請求項４に記載の方法。
【請求項７】
アンモニア、二酸化炭素、炭酸アンモニウム、重炭酸アンモニウムおよびカルバミン酸アンモニウムの溶液である、請求項６に記載の方法。
【請求項８】
溶液は、１〜４００重量％の溶質濃度を有する、請求項１〜７のいずれかに記載の方法。
【請求項９】
液体は、淡水、海水、汽水および産業または農業プロセスから廃ストリームから成る群から選択する、請求項１〜８のいずれかに記載の方法。
【請求項１０】
液体は、溶液の溶媒と同じ溶媒であるか、またはそれを含んで成る、請求項１〜９のいずれかに記載の方法。
【請求項１１】
工程ｄ）において、熱および／または膜分離法によって溶媒を除去する、請求項１〜１０のいずれかに記載の方法。
【請求項１２】
蒸発、蒸留および結晶化から選択した方法を用いて、溶媒を除去する、請求項１１に記載の方法。
【請求項１３】
多段フラッシュ蒸留法、多重効用蒸留法、機械的蒸気圧縮法および高速噴霧脱塩法から選択した、少なくとも１の方法によって、溶媒を除去する、請求項１２に記載の方法。
【請求項１４】
イオン交換法、電気透析法、ナノ濾過法および浸透法から選択した少なくとも１の方法によって、溶媒を除去する、請求項１１に記載の方法。
【請求項１５】
工程ｄ）での溶媒除去に必要なエネルギーを、風力、周囲環境の熱エネルギー、太陽エネルギー、地熱エネルギー、生物学的プロセスからのエネルギー、燃料の燃焼によるエネルギーおよび／または発電装置および他の産業プロセスからの余剰熱によって供給する、請求項１〜１４のいずれかに記載の方法。
【請求項１６】
工程ｄ）で回収する溶媒の少なくともいくらかを、工程ａ）の液体にリサイクルする、請求項１〜１５のいずれかに記載の方法。
【請求項１７】
溶液において生じた圧力を用いて溶液を高い位置に移動させること、および高い位置にある溶液のポテンシャルエネルギーを用いて原動機を駆動することを含んで成る、請求項１〜１６のいずれかに記載の方法。
【請求項１８】
工程ａ）からの溶液を、周囲温度が、
ｉ）溶液中の溶質の少なくともいくらかを結晶化するのに十分低いか、または
ｉｉ）溶媒を結晶化する溶媒の凝固点よりも下である
高所まで移動させて、低い溶質濃度を有する部分および高い溶質濃度を有する部分に溶液を分離する、請求項１〜１７のいずれかに記載の方法。
【請求項１９】
該部分のそれぞれを基底準位に戻して、各部分のポテンシャルエネルギーを用いて原動機を駆動することができる、請求項１８に記載の方法。
【請求項２０】
工程ｄ）において溶液から溶媒を分離するのに必要な熱エネルギーを、ガスの圧縮および減圧によって供給する、請求項１〜１９のいずれかに記載の方法。
【請求項２１】
工程ａ）の選択膜は、１０〜６０Å、好ましくは１２〜５０Åの平均ポアサイズを有する、請求項１〜２０のいずれかに記載の方法。
【請求項２２】
原動機の駆動装置であって、
原動機、
液体を、液体よりも高い溶質濃度を有する溶液から分離する、少なくとも１０Åの平均ポアサイズを有する選択膜を含んで成り、膜を通過する液体が溶液を加圧するように構成されているハウジング、
溶液において生じた圧力を原動機に伝達する手段、
溶液を回収する手段、
溶液から溶媒を分離して残留生成物を生成する手段、および
残留生成物および／または分離された溶媒をハウジングにリサイクルする手段
を含んで成る装置。
【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
原動機の駆動方法であって、
ａ）液体と液体よりも高い浸透ポテンシャルを有する溶液との間に選択膜を配置し、膜を横切る液体の流入により溶液を加圧状態にすること、
ｂ）溶液において生じた圧力を、圧力交換システムを介して別の液体に伝達して原動機を駆動すること、
ｃ）溶液を回収すること、
ｄ）溶液から溶媒の少なくともいくらかを分離して残存生成物を生成すること、ならびに
ｅ）工程ｄ）の分離溶媒および／または残存生成物を工程ａ）にリサイクルすること
を含んで成る方法。
【請求項２】
原動機は、回転式原動機である、請求項１に記載の方法。
【請求項３】
溶液は、水溶液である、請求項１または２に記載の方法。
【請求項４】
溶液は、塩化ナトリウム、塩化カリウム、硝酸カリウム、硫酸マグネシウム、塩化マグネシウム、硫酸ナトリウム、塩化カルシウム、炭酸ナトリウム、リン酸水素２ナトリウムおよびカリウムミョウバンから選択した塩の溶液である、請求項１〜３のいずれかに記載の方法。
【請求項５】
水溶液は、水にアンモニアおよび二酸化炭素を溶解することによって生成する、請求項３に記載の方法。
【請求項６】
アンモニア、二酸化炭素、炭酸アンモニウム、重炭酸アンモニウムおよびカルバミン酸アンモニウムの水溶液である、請求項５に記載の方法。
【請求項７】
溶液は、１〜４００重量％の溶質濃度を有する、請求項１〜６のいずれかに記載の方法。
【請求項８】
液体は、淡水、海水、汽水および産業または農業プロセスから廃ストリームから成る群から選択する、請求項１〜７のいずれかに記載の方法。
【請求項９】
液体は、溶液の溶媒と同じ溶媒であるか、またはそれを含んで成る、請求項１〜８のいずれかに記載の方法。
【請求項１０】
工程ｄ）において、熱および／または膜分離法によって溶媒を除去する、請求項１〜９のいずれかに記載の方法。
【請求項１１】
蒸発、蒸留および結晶化から選択した方法を用いて溶媒を除去する、請求項１１に記載の方法。
【請求項１２】
多段フラッシュ蒸留法、多重効用蒸留法、機械的蒸気圧縮法および高速噴霧脱塩法から選択した、少なくとも１の方法によって溶媒を除去する、請求項１１に記載の方法。
【請求項１３】
溶媒を、イオン交換法、電気透析法、ナノ濾過法および浸透法から選択した少なくとも１の方法によって除去する、請求項１０に記載の方法。
【請求項１４】
工程ｄ）での溶媒除去に必要なエネルギーを、風力、周囲環境の熱エネルギー、太陽エネルギー、地熱エネルギー、生物学的プロセスからのエネルギー、燃料の燃焼によるエネルギーおよび／または発電装置および他の産業プロセスからの余剰熱によって供給する、請求項１〜１３のいずれかに記載の方法。
【請求項１５】
工程ｄ）で回収する溶媒の少なくともいくらかを、工程ａ）の液体にリサイクルする、請求項１〜１４のいずれかに記載の方法。
【請求項１６】
溶液において生じた圧力を用いて溶液を高い位置に移動させること、および高い位置にある溶液のポテンシャルエネルギーを用いて原動機を駆動することを含んで成る、請求項１〜１５のいずれかに記載の方法。
【請求項１７】
工程ａ）からの溶液を、周囲温度が、
ｉ）溶液中の溶質の少なくともいくらかを結晶化するのに十分低いか、または
ｉｉ）溶媒を結晶化する溶媒の凝固点よりも下である
高所まで移動させて、低い溶質濃度を有する部分および高い溶質濃度を有する部分に溶液を分離する、請求項１〜１６のいずれかに記載の方法。
【請求項１８】
該部分のそれぞれを基底準位に戻して、各部分のポテンシャルエネルギーを用いて原動機を駆動することができる、請求項１８に記載の方法。
【請求項１９】
工程ｄ）において溶液から溶媒を分離するのに必要な熱エネルギーを、ガスの圧縮および減圧によって供給する、請求項１〜１８のいずれかに記載の方法。
【請求項２０】
工程ａ）の選択膜は、１０〜６０Å、好ましくは１２〜５０Åの平均ポアサイズを有する、請求項１〜１９のいずれかに記載の方法。
【請求項２１】
工程ａ）からの加圧溶液を、更なる選択膜の１つの側に入れ、加圧溶液よりも高い浸透ポテンシャルを有する更なる溶液を該膜の他の側に入れて、膜を横切る液体の流入によって更なる溶液を加圧状態にする、請求項１〜２０のいずれかに記載の方法。
【国際調査報告】
2007533884.tif 000006
2007533884.tif 000007
2007533884.tif 000008